(57)【要約】【課題】  基準クロックに障害が発生してもリファレンスクロックの出力が途切れないリファレンスクロック発生器を提供する。【解決手段】  加算器３に入力される２つの基準クロック再生回路１ａ、１ｂの出力のうち、基準クロック再生回路１ｂの出力をレベル調整部２を介して振幅を調整し、異なる振幅のクロックをアナログ加算して逆相となる基準クロック再生回路１ａ、１ｂの出力が入力されても加算出力が零になることを防ぎ、その加算出力を波形整形器４を介してリファレンスクロックを生成、出力することにより入力する一方の基準クロックに障害が発生してもリファレンスクロックの出力が途切れないリファレンスクロック発生器が提供できる。【選択図】  図２
2006050486.tif 000002
【特許請求の範囲】
【請求項１】
基準クロックを受信して再生することによりリファレンスクロックを出力するリファレンスクロック発生器において、
外部の基準クロック装置から基準クロックを第１の系統で受信し、所定のクロック周波数に再生してその基本波信号を第１のクロック信号として出力する第１の基準クロック再生手段と、
前記基準クロック装置から前記基準クロックを第２の系統で受信し、前記所定のクロック周波数に再生してその基本波信号を第２のクロック信号として出力する第２の基準クロック再生手段と、
前記第２のクロック信号を入力して前記第１のクロック信号の出力と異なる振幅レベルに調整して出力するレベル調整手段と、
一方の入力端子に前記第１のクロック信号が入力され、他方の入力端子に前記レベル調整手段を介した前記第２のクロック信号が入力されることにより前記両クロック信号のアナログ加算をして出力する加算手段と、
前記加算手段の出力を入力して、波形整形してリファレンスクロックとして出力する波形整形手段とを
備えることを特徴とするリファレンスクロック発生器。
【請求項２】
前記第１又は、前記第２の基準クロック再生手段の代わりに、前記所定の周波数のクロック周波数を発振して出力する自走発振器を備える
ことを特徴とする請求項１に記載のリファレンスクロック発生器。
【請求項３】
基準クロックを受信して再生することによりリファレンスクロックを出力するリファレンスクロック発生器において、
外部の基準クロック装置から基準クロックを第１の系統で受信し、所定のクロック周波数に再生してその基本波信号を第１のクロック信号として出力する第１の基準クロック再生手段と、
前記基準クロック装置から前記基準クロックを第２の系統で受信し、前記所定のクロック周波数に再生してその基本波信号を第２のクロック信号として出力する第２の基準クロック再生手段と、
前記第２のクロック信号を入力して前記第１のクロック信号の出力と異なる振幅レベルに調整して出力する第１のレベル調整手段と、
一方の入力端子に前記第１のクロック信号が入力され、他方の入力端子に前記レベル調整手段を介した前記第２のクロック信号が入力されることにより前記両クロック信号のアナログ加算をして出力する第１の加算手段と、
前記所定の周波数の第３のクロック周波数を発振して出力する自走発振器と、
前記第３のクロック信号を入力して前記第１、および第２のクロック信号の出力と異なる振幅レベルに調整して出力する第２のレベル調整手段と、
一方の入力端子に前記第１の加算手段の出力が入力され、他方の入力端子に前記レベル調整手段を介した前記第３のクロック信号が入力されることにより前記３つのクロック信号のアナログ加算をして出力する第２の加算手段と、
前記加算手段の出力を入力し、波形整形してリファレンスクロックとして出力する波形整形手段とを
備えることを特徴とするリファレンスクロック発生器。
【請求項４】
基準クロックを受信してリファレンスクロックを再生して出力するリファレンスクロック発生器を備えた通信装置において、
前記通信装置は、
外部の基準クロック装置から基準クロックを第１の系統で受信し、所定のクロック周波数に再生してその基本波信号を第１のクロック信号として出力する第１の基準クロック再生手段と、前記基準クロック装置から前記基準クロックを第２の系統で受信し、前記所定のクロック周波数に再生してその基本波信号を第２のクロック信号として出力する第２の基準クロック再生手段と、前記第２のクロック信号を入力して前記第１のクロック信号の出力と異なる振幅レベルに調整して出力するレベル調整手段と、一方の入力端子に前記第１のクロック信号が入力され、他方の入力端子に前記レベル調整手段を介した前記第２のクロック信号が入力されることにより前記両クロック信号のアナログ加算をして出力する加算手段と、前記加算手段の出力を入力して、波形整形することによりリファレンスクロックとして出力する波形整形手段とを備えるリファレンスクロック発生器を具備する
ことを特徴とする通信装置。
【請求項５】
前記リファレンスクロック発生器は、
前記第１又は、前記第２の基準クロック再生手段の代わりに、前記所定の周波数のクロック周波数を発振して出力する自走発振器を備えることを特徴とする請求項４に記載の通信装置。
【請求項６】
基準クロックを受信して再生することによりリファレンスクロックを出力するリファレンスクロック発生器を備える通信装置において、
外部の前記基準クロック装置から基準クロックを第１の系統で受信し、所定のクロック周波数に再生してその基本波信号を第１のクロック信号として出力する第１の基準クロック再生手段と、
前記基準クロック装置から前記基準クロックを第２の系統で受信し、前記所定のクロック周波数に再生してその基本波信号を第２のクロック信号として出力する第２の基準クロック再生手段と、
前記第２のクロック信号を入力して前記第１のクロック信号の出力と異なる振幅レベルに調整して出力する第１のレベル調整手段と、
一方の入力端子に前記第１のクロック信号が入力され、他方の入力端子に前記レベル調整手段を介した前記第２のクロック信号が入力されることにより前記両クロック信号のアナログ加算をして出力する第１の加算手段と、
前記所定の周波数の第３のクロック周波数を発振して出力する自走発振器と、
前記第３のクロック信号を入力して前記第１、および第２のクロック信号の出力と異なる振幅レベルに調整して出力する第２のレベル調整手段と、
一方の入力端子に前記第１の加算手段の出力が入力され、他方の入力端子に前記レベル調整手段を介した前記第３のクロック信号が入力されることにより前記３つのクロック信号のアナログ加算をして出力する第２の加算手段と、
前記加算手段の出力を入力し、波形整形してリファレンスクロックとして出力する波形整形手段とを備えるリファレンスクロック発生器を具備する
ことを特徴とする通信装置。
【請求項７】
基準クロックを出力する基準クロック装置と、
基準クロック装置から基準クロックを受信してリファレンスクロックを再生して自装置内の構成、またはおよび自装置を介して他の通信装置へ出力するリファレンスクロック発生器を備える複数の通信装置とから構成される通信システムにおいて、
前記複数の各通信装置は、
外部の前記基準クロック装置から基準クロックを第１の系統で受信し、所定のクロック周波数に再生してその基本波信号を第１のクロック信号として出力する第１の基準クロック再生手段と、前記基準クロック装置から前記基準クロックを第２の系統で受信し、前記所定のクロック周波数に再生してその基本波信号を第２のクロック信号として出力する第２の基準クロック再生手段と、前記第２のクロック信号を入力して前記第１のクロック信号の出力と異なる振幅レベルに調整して出力するレベル調整手段と、一方の入力端子に前記第１のクロック信号が入力され、他方の入力端子に前記レベル調整手段を介した前記第２のクロック信号が入力されることにより前記両クロック信号のアナログ加算をして出力する加算手段と、前記加算手段の出力を入力し、波形整形することによりリファレンスクロックとして出力する波形整形手段とを備えるリファレンスクロック発生器を備える
ことを特徴とする通信システム。
【請求項８】
前記リファレンスクロック発生器は、
前記第１又は、前記第２の基準クロック再生手段の代わりに、前記所定の周波数のクロック周波数を発振して出力する自走発振器を備えることを特徴とする請求項７に記載の通信システム。
【請求項９】
基準クロックを出力する基準クロック装置と、
基準クロック装置から基準クロックを受信してリファレンスクロックを再生して自装置内の構成、またはおよび自装置を介して他の通信装置へ出力するリファレンスクロック発生器を備える複数の通信装置とから構成される通信システムにおいて、
外部の前記基準クロック装置から基準クロックを第１の系統で受信し、所定のクロック周波数に再生してその基本波信号を第１のクロック信号として出力する第１の基準クロック再生手段と、
前記基準クロック装置から前記基準クロックを第２の系統で受信し、前記所定のクロック周波数に再生してその基本波信号を第２のクロック信号として出力する第２の基準クロック再生手段と、
前記第２のクロック信号を入力して前記第１のクロック信号の出力と異なる振幅レベルに調整して出力する第１のレベル調整手段と、
一方の入力端子に前記第１のクロック信号が入力され、他方の入力端子に前記レベル調整手段を介した前記第２のクロック信号が入力されることにより前記両クロック信号のアナログ加算をして出力する第１の加算手段と、
前記所定の周波数の第３のクロック周波数を発振して出力する自走発振器と、
前記第３のクロック信号を入力して前記第１、および第２のクロック信号の出力と異なる振幅レベルに調整して出力する第２のレベル調整手段と、
一方の入力端子に前記第１の加算手段の出力が入力され、他方の入力端子に前記レベル調整手段を介した前記第３のクロック信号が入力されることにより前記３つのクロック信号のアナログ加算をして出力する第２の加算手段と、
前記加算手段の出力を入力し、波形整形してリファレンスクロックとして出力する波形整形手段とを備えるリファレンスクロック発生器を備える
ことを特徴とする通信システム。
【請求項１０】
基準クロックを受信して再生することによりリファレンスクロックを出力するリファレンスクロック発生器のクロック発生方法において、
前記リファレンスクロック発生器は、
第１の基準クロック再生手段と、第２の基準クロック再生手段と、レベル調整手段と、加算手段と、波形整形手段とを備え
前記第１の基準クロック再生手段は、外部の基準クロック装置から基準クロックを第１の系統で受信し、所定のクロック周波数に再生してその基本波信号を第１のクロック信号として前記加算手段へ出力し、
前記第２の基準クロック再生手段は、前記基準クロック装置から前記基準クロックを第２の系統で受信し、前記所定のクロック周波数に再生して基本波信号を第２のクロック信号として前記レベル調整手段へ出力し、
前記第２のクロック信号を入力した前記レベル調整手段は、前記第１のクロック信号の出力と異なる振幅レベルに調整して前記加算手段へ出力し、
一方の入力端子に前記第１のクロック信号が入力され、他方の入力端子に前記レベル調整手段を介した前記第２のクロック信号が入力された前記加算手段は、前記入力された両クロック信号のアナログ加算をしたクロック信号を前記加算手段へ出力し、
前記加算されたクロック信号を入力した波形整形手段は、入力された前記加算されたクロック信号を波形整形してリファレンスクロックとして出力する
ことを特徴とするリファレンスクロック発生器のクロック発生方法。
【請求項１１】
前記第１又は、前記第２の基準クロック再生手段の代わりに、前記所定の周波数のクロック周波数を発振して出力する自走発振器を備えることを特徴とする請求項１０に記載のリファレンスクロック発生器のクロック発生方法。
【請求項１２】
基準クロックを受信して再生することによりリファレンスクロックを出力するリファレンスクロック発生器のクロック発生方法において、
前記リファレンスクロック発生器は、
第１の基準クロック再生手段と、第２の基準クロック再生手段と、第１のレベル調整手段と、第２のレベル調整手段と、第１の加算手段と、第２の加算手段と、自走発振器と、波形整形手段とを備え
前記第１の基準クロック再生手段は、外部の基準クロック装置から基準クロックを第１の系統で受信し、所定のクロック周波数に再生してその基本波信号を第１のクロック信号として前記加算手段へ出力し、
前記第２の基準クロック再生手段は、前記基準クロック装置から前記基準クロックを第２の系統で受信し、前記所定のクロック周波数に再生して基本波信号を第２のクロック信号として前記台１のレベル調整手段へ出力し、
前記第２のクロック信号を入力した前記第１のレベル調整手段は、前記第１のクロック信号の出力と異なる振幅レベルに調整して前記第１の加算手段へ出力し、
一方の入力端子に前記第１のクロック信号が入力され、他方の入力端子に前記レベル調整手段を介した前記第２のクロック信号が入力された前記第１の加算手段は、前記入力された両クロック信号のアナログ加算をした加算クロック信号を前記第２の加算手段へ出力し、
前記自走発振器は、前記所定の周波数の第３のクロック信号を前記第２の加算手段へ出力し、
一方の入力端子に前記第１の加算手段から前記加算クロック信号が入力され、他方の入力端子に前記第２のレベル調整手段を介した前記第３のクロック信号が入力された前記第２の加算手段は、前記入力された前記加算クロック信号と前記第３のクロック信号とをアナログ加算した第２の加算クロック信号を前記波形整形手段へ出力し
前記第２の加算クロック信号を入力した波形整形手段は、入力された前記第２の加算クロック信号を波形整形してリファレンスクロックとして出力する
ことを特徴とするリファレンスクロック発生器のクロック発生方法。
【発明の詳細な説明】
【技術分野】
【０００１】
本発明は、基準クロックを受信再生して運用する通信システム、通信装置、リファレンスクロック発生器、およびそのクロック発生方法に関する。
【背景技術】
【０００２】
現在の基幹通信システムにおける光ファイバによるＳＤＨ（Synchronous  Digital  Hierarchy）伝送、あるいは無線伝送に代表される様に、通信ネットワークに接続された各通信装置が精確に同期する為に基準クロックをセシウム周波数標準から分配されたクロックやＧＰＳ衛星から受信するクロック信号を元にして、その通信装置のリファレンスクロックを生成することが行われている。この様な通信システムの通信装置は、基準クロックを冗長構成とする為に、通信システムの基準クロック源から２系統で基準クロックを供給して、一方の基準クロック系統に障害が発生した時には他方の基準クロック系統に切り替えて使用する。又、他の方法として自装置が予備の自走発振器を備えることにより基準クロック源からの基準クロックが受信できない場合には自走発振器が供給する基準クロックに切り換える方法などのいずれかの方法がとられる。
【０００３】
図１０は、従来のクロック切換を行うリファレンスクロック発生器の構成を示す機能ブロック図である。  
図１０において通信装置が備えるリファレンスクロック発生器は、外部からそれぞれ基準クロックを受信して所要の波形再生、周波数設定等を行い出力する基準クロック再生回路１０１と基準クロック再生回路１０２、予備発振器である自走発信器１０３個、基準クロック再生回路１０１、１０２および自走発振器１０３の出力を監視して出力断等の異常を検出して警報を出力する監視部１０４、この警報出力により予備発振器である自走発信器１０３個、基準クロック再生回路１０１、１０２および自走発振器１０３の出力のいずれかを選択して出力する切換部１０５から構成される。
【０００４】
切換部１０５は、例えば、通常、基準クロック再生回路１０１からの出力を選択してリファレンスクロックとして通信装置の各構成に出力する。もし、基準クロック再生回路１０１からの出力に異常が有れば、基準クロック再生回路１０２からの出力を選択し、更にこれら２つの基準クロック発生器１０１、１０２からの出力に異常がある時、自走発振器１０３の出力を選択して出力する。
【０００５】
この様な切換を行うと、選択しているクロックに障害が発生した場合、検出されるまでの間は切り換え回路の出力側ではクロックのない（あるいは障害発生クロック）状態が継続する。又、クロック断の様な障害を検出するまでの時間は、例えば、数クロックパルス相当の時間を要する。その結果、出力されるリファレンスクロックは数クロックパルス分に亘る位相変動を起こし、そのリファレンスクロックを基準に信号処理をしている所では、例えば、数ビットに亘るビットドロップや、ビットスリップなど不連続な通信が発生する問題がある。
【０００６】
この問題を解決する方法として、複数の基準クロックを切り換えるのではなく、各基準クロックをアナログ加算することにより、不連続な通信を防ぐ方法が提案されている。（例えば、特許文献１。）。
【０００７】
図１１は、従来の基準クロックをアナログ加算するリファレンスクロック発生器の機能ブロック図である。  
図１１において、リファレンスクロック発生器は、基準クロック再生回路２０１、２０２とその出力をアナログ加算する加算器２０３、および加算器２０３の出力を波形整形してデジタルのリファレンスクロック信号として出力する波形整形器２０４から構成される。
【０００８】
基準クロック再生回路２０１、２０２は、外部からの基準クロックを受信して、例えば、基準クロック又は、リファレンスクロックのクロックの基本周波数のクロック信号を出力レベルを同じに合わせて加算器２０３へ出力する。加算器２０３がこれらのクロック信号をアナログ加算した出力は、波形整形器２０４へ入力され、波形整形器２０４はその加算された信号を論理回路レベルの信号に変換し、通信装置の各構成に出力される。
【０００９】
図１２は、加算器２０３の入力と出力の関係を示す図である。図１２において、クロック２０１ａ、クロック２０１ｂは、基準クロック再生回路２０１、２０２からの各クロック信号、クロック２０１ｃはその和（加算）出力、クロック２０１ｄは、クロック２０１ｃを波形整形したデジタルのリファレンスクロック信号である。
【００１０】
図１２（ａ）は、２つの基準クロック入力のタイミングが同相のクロックが加算された場合で、少なくともどちらか一方の基準クロックが受信できなくても残りの一方の基準クロックからリファレンスクロックが生成されて出力される。
【００１１】
しかし、本来同相であるべきクロック２０１ａ、２０１ｂの間に、例えば、多段中継により長距離伝送された基準クロックの伝送路上の揺らぎ現象として伝送遅延時間差が発生した場合、振幅や波形は歪むが両基準クロックのアナログ加算出力を波形整形してリファレンスクロック２０１ｄを生成できる。しかし、遅延時間差が図１２（ｂ）の様に逆相になると、その場合は両クロック２０１ａ、２０１ｂの加算したクロック２０１ｃが“０”となりリファレンスクロック２０１ｄが生成されず、両クロック２０１ａ、２０１ｂが正常であるにも関わらずリファレンスクロックが出力されない問題がある。
【特許文献１】特開平８−２４９０８４号公報  （第４頁、第１図）
【発明の開示】
【発明が解決しようとする課題】
【００１２】
従来のリファレンスクロック発生器では、基準クロックに異常が発生した場合、基準クロックを予備系に切り換える間にリファレンスクロックが途切れてしまう問題、又は、切換を防ぐ為に現用と予備のクロックとを加算出力しても、両クロックが逆相になるとその加算出力は“０”になり、リファレンスクロックが出力されない問題があった。
【００１３】
本発明は上記問題を解決するためになされたもので、基準クロックに障害が発生してもリファレンスクロックの出力が途切れない通信システム、通信装置、リファレンスクロック発生器、およびそのクロック発生方法を提供することを目的とする。
【課題を解決するための手段】
【００１４】
上記目的を達成するために、本発明のリファレンスクロック発生器は、基準クロックを受信して再生することによりリファレンスクロックを出力するリファレンスクロック発生器において、外部の基準クロック装置から基準クロックを第１の系統で受信し、所定のクロック周波数に再生してその基本波信号を第１のクロック信号として出力する第１の基準クロック再生手段と、前記基準クロック装置から前記基準クロックを第２の系統で受信し、前記所定のクロック周波数に再生してその基本波信号を第２のクロック信号として出力する第２の基準クロック再生手段と、前記第２のクロック信号を入力して前記第１のクロック信号の出力と異なる振幅レベルに調整して出力するレベル調整手段と、一方の入力端子に前記第１のクロック信号が入力され、他方の入力端子に前記レベル調整手段を介した前記第２のクロック信号が入力されることにより前記両クロック信号のアナログ加算をして出力する加算手段と、前記加算手段の出力を入力して、波形整形してリファレンスクロックとして出力する波形整形手段とを備えることを特徴とする。
【００１５】
また、本発明の通信装置は、基準クロックを受信してリファレンスクロックを再生して出力するリファレンスクロック発生器を備えた通信装置において、前記通信装置は、外部の基準クロック装置から基準クロックを第１の系統で受信し、所定のクロック周波数に再生してその基本波信号を第１のクロック信号として出力する第１の基準クロック再生手段と、前記基準クロック装置から前記基準クロックを第２の系統で受信し、前記所定のクロック周波数に再生してその基本波信号を第２のクロック信号として出力する第２の基準クロック再生手段と、前記第２のクロック信号を入力して前記第１のクロック信号の出力と異なる振幅レベルに調整して出力するレベル調整手段と、一方の入力端子に前記第１のクロック信号が入力され、他方の入力端子に前記レベル調整手段を介した前記第２のクロック信号が入力されることにより前記両クロック信号のアナログ加算をして出力する加算手段と、前記加算手段の出力を入力して、波形整形することによりリファレンスクロックとして出力する波形整形手段とを備えるリファレンスクロック発生器を具備することを特徴とする。
【００１６】
更に、本発明の通信システムは、基準クロックを出力する基準クロック装置と、基準クロック装置から基準クロックを受信してリファレンスクロックを再生して自装置内の構成、またはおよび自装置を介して他の通信装置へ出力するリファレンスクロック発生器を備える複数の通信装置とから構成される通信システムにおいて、外部の前記基準クロック装置から基準クロックを第１の系統で受信し、所定のクロック周波数に再生してその基本波信号を第１のクロック信号として出力する第１の基準クロック再生手段と、前記基準クロック装置から前記基準クロックを第２の系統で受信し、前記所定のクロック周波数に再生してその基本波信号を第２のクロック信号として出力する第２の基準クロック再生手段と、前記第２のクロック信号を入力して前記第１のクロック信号の出力と異なる振幅レベルに調整して出力する第１のレベル調整手段と、一方の入力端子に前記第１のクロック信号が入力され、他方の入力端子に前記レベル調整手段を介した前記第２のクロック信号が入力されることにより前記両クロック信号のアナログ加算をして出力する第１の加算手段と、前記所定の周波数の第３のクロック周波数を発振して出力する自走発振器と、前記第３のクロック信号を入力して前記第１、および第２のクロック信号の出力と異なる振幅レベルに調整して出力する第２のレベル調整手段と、一方の入力端子に前記第１の加算手段の出力が入力され、他方の入力端子に前記レベル調整手段を介した前記第３のクロック信号が入力されることにより前記３つのクロック信号のアナログ加算をして出力する第２の加算手段と、前記加算手段の出力を入力し、波形整形してリファレンスクロックとして出力する波形整形手段とを備えるリファレンスクロック発生器を備えることを特徴とする。
【００１７】
そして更に、本発明のリファレンスクロック発生器のクロック発生方法は、基準クロックを受信して再生することによりリファレンスクロックを出力するリファレンスクロック発生器のクロック発生方法において、前記リファレンスクロック発生器は、第１の基準クロック再生手段と、第２の基準クロック再生手段と、レベル調整手段と、加算手段と、波形整形手段とを備え前記第１の基準クロック再生手段は、外部の基準クロック装置から基準クロックを第１の系統で受信し、所定のクロック周波数に再生してその基本波信号を第１のクロック信号として前記加算手段へ出力し、前記第２の基準クロック再生手段は、前記基準クロック装置から前記基準クロックを第２の系統で受信し、前記所定のクロック周波数に再生して基本波信号を第２のクロック信号として前記レベル調整手段へ出力し、前記第２のクロック信号を入力した前記レベル調整手段は、前記第１のクロック信号の出力と異なる振幅レベルに調整して前記加算手段へ出力し、一方の入力端子に前記第１のクロック信号が入力され、他方の入力端子に前記レベル調整手段を介した前記第２のクロック信号が入力された前記加算手段は、前記入力された両クロック信号のアナログ加算をしたクロック信号を前記加算手段へ出力し、前記加算されたクロック信号を入力した波形整形手段は、入力された前記加算されたクロック信号を波形整形してリファレンスクロックとして出力することを特徴とする。
【発明の効果】
【００１８】
本発明によれば、異なる系統で受信した基準クロックから再生された振幅がそれぞれ異なる複数のクロック信号を加算することによりリファレンスクロックを生成し、逆相のクロック信号を加算しても加算出力が零になることを防いで基準クロックに障害が発生してもリファレンスクロックの出力が途切れない通信システム、通信装置、リファレンスクロック発生器、およびそのクロック発生方法が提供できる。
【発明を実施するための最良の形態】
【００１９】
以下、図面を参照して本発明の実施例を説明する。
【実施例１】
【００２０】
図１は、本発明の実施例１に係る通信システムの構成図である。  
以下、図１により本実施例１における通信システムの構成と動作の概要を説明する。
【００２１】
図１において、通信システムは、各々がリファレンスクロック発生器ＲＣを備える複数の通信装置ＣＥ（＃１）〜（＃ｎ）と、通信装置ＣＥ（＃１）〜（＃ｎ）の各リファレンスクロック発生器ＲＣへ基準クロックを出力する基準クロック装置ＸＲとからなる。リファレンスクロック発生器ＲＣは、基準クロック装置ＸＲから２系統に分かれた伝送路により基準クロックを受信して、リファレンスクロックを出力する。リファレンスクロックの出力先は、下記の３つのケースがあり、本発明はそのいずれのケースであっても適用される。
【００２２】
第１のケースでは、通信装置ＣＥ（＃１）においてリファレンスクロックは、自装置内の信号処理を行う構成に出力される。また、第２のケースでは通信装置ＣＥ（＃２）において、自装置内の構成に加えて、更に通信装置ＣＥ（＃２）に接続された他の通信装置Ｃｘへリファレンスクロックが出力される。第３のケースでは、通信装置ＣＥ（＃ｎ）がリファレンスクロックを他の通信装置Ｃｘに出力するためのリファレンスクロック供給装置として動作し、言い換えるとリファレンスクロック発生器ＲＣと一体のものである。また、第２、第３のケースでは。リファレンスクロック発生器ＲＣには、通信装置Ｃｘは複数が接続されてもよい（図示せず）。
【００２３】
図２は、本発明の実施例１に係るリファレンス発生器ＲＣの機能ブロック図である。  
以下、図２により、リファレンス発生器ＲＣの構成と処理動作を説明する。
【００２４】
図２においてリファレンス発生器ＲＣは、外部の基準クロック装置ＸＲからそれぞれ基準クロックを受信して所要の波形再生、周波数設定等を行って出力する基準クロック再生回路１ａと基準クロック再生回路１ｂ、基準クロック再生回路１ｂの出力を調整するレベル調整部２、基準クロック再生回路１ａ、１ｂの出力を受信してアナログ加算する加算器３、および加算器３の出力を波形整形してデジタルのリファレンスクロック信号として出力する波形成型器４とから構成される。
【００２５】
基準クロック再生回路１ａ、１ｂは、外部の基準発振器から２つの別経路で伝送された基準クロックを受信する。基準クロック再生回路１ａは、受信した基準クロックを通信装置で使用する所定の周波数のクロックの基本波を抽出して所定の信号レベルに再生されたたクロック信号を加算器３へ出力する。（再生されたクロック信号の周波数は、受信した基準クロックの周波数のまま、又は、逓倍もしくは、分周などの変換が行われる。）。他方の基準クロック再生回路１ｂは、同様に再生されたクロック信号をレベル調整部２へ出力する。
【００２６】
レベル調整部２は両方の基準クロック再生回路１ａ、１ｂそれぞれに接続して設けられるものであっても良いし、もしくは、それぞれに内蔵されるものであっても良いがここでは、説明の便宜上、独立した構成として基準クロック再生回路１ｂに接続されるものとする。また、レベル調整部２は、入力された基準クロック再生回路１ｂのクロック信号のレベルを基準クロック再生回路１ａのクロック信号の出力レベルと異なるレベルに設定して加算器３へ出力する増幅器、又は、減衰器であるが、ここでは、６ｄｂ減衰器とする。
【００２７】
加算器３は、一方の入力端子３ａが基準クロック再生回路１ａ、他方の入力端子３ｂがレベル調整部２を介して基準クロック再生回路１ｂからのクロック信号が入力される。
【００２８】
加算器３がアナログ加算した出力は、波形整形器２０４へ入力され、波形整形器２０４はその加算された出力信号を論理回路レベルのリファレンスクロック信号に変換する。そして、リファレンスクロック信号は、通信装置ＣＥの各構成に出力される。また、このリファレンスクロック信号は、自装置を介して外部の他の通信装置Ｃｘへ出力されてもよい。
【００２９】
図３〜図７は、加算器３における入力とアナログ加算出力の関係を示した図である。
【００３０】
図３〜図７はそれぞれ、２つの入力の間の位相差が４５度、９０度、１８０度（逆相）、２７０度、３６０度である。
【００３１】
また図３〜図７において、クロック１Ａ、クロック１Ｂはそれぞれ加算器３の入力端子３ａ、入力端子３ｂの入力、クロック１Ｃは加算器３のアナログ加算出力である。
【００３２】
図５は、加算器３へ２つの入力クロックが逆相で入力されるが、クロック１Ｂの振幅はクロック１Ａの振幅の半分であるので、アナログ加算してもクロック１Ａの振幅の半分が出力されるので、その出力が“０”にならず、波形成型器４からリファレンスクロックが出力される。
【００３３】
また、図５と図７の逆相、同相の場合以外は、アナログ加算された出力のピーク位置は加算器３へ入力される両クロック１Ａ、１Ｂの両クロックのピーク位置とずれるが、リファレンスクロックのタイミングは１クロック周期の時間内の変動で抑えることが出来る。
【００３４】
以上説明した如く、本発明の実施例１のリファレンスクロック発生器ＲＣは、加算器３に入力される２つのクロック信号の振幅レベルを異なるものにすることによって、従来の様にクロック切換時に数クロックパルスの間リファレンスクロックが途切れることが無く、また、加算器３に入力する基準クロックが逆相状態になってもリファレンスクロックは途切れることなく再生できる。
【実施例２】
【００３５】
また、本発明の実施例２は、図２に示す様なリファレンスクロック発生器ＲＣに２つの基準クロックが外部の基準クロック装置ＸＲから入力される場合だけでなく、一方の基準クロック再生回路（例えば、基準クロック再生回路１ｂ）が自走発振器に置き換えられたものであっても良い。実施例２によるリファレンスクロックの生成方法は、基準クロック信号を２重化して送信出来ない場合、例えば、ケーブルの敷設経路を離れて設置して冗長性を高めることが出来ない場合や、ケーブル線数が不足する場合に適している。
【００３６】
図８は、本発明の実施例２に係わるリファレンスクロック発生器ＲＣを示す機能ブロック図である。  
図８において、リファレンスクロック発生器ＲＣは、図２における基準クロック再生回路１ｂ  が外部からの基準クロックとほぼ同一の周波数で発振する自走発振器１ｃに置き変えられた以外は図２と同様である。なお、この自走発振器１Ｃは、基準クロック再生回路１ａからの出力が正常である場合、その出力を受信して、周波数と位相が従属したクロックを出力するものであっても良い。
【実施例３】
【００３７】
また、更に本発明は、実施例１の様に２つの基準クロックを入力してアナログ加算をした第１のアナログ加算出力と自走発振器の出力のクロックとを、更に第２の加算器を用いてアナログ加算し、その第２の加算器の出力が波形整形器を介してリファレンスクロックにして出力されるものであっても良い。この方法は、リファレンスクロックの出力確保を図るために適している。
【００３８】
図９は、本発明の実施例３に係わるリファレンスクロック発生器ＲＣを示す機能ブロック図である。  
図９において、リファレンスクロック発生器ＲＣは、図２の構成に、更に、自走発振器１Ｃ、自走発振器１ｃに接続されるレベル調整器２１、入力の一方が加算器３の出力、他方の入力がレベル調整器２１に接続される第２の加算器３１が追加され、および波形整形器４の入力が加算器３の出力から加算器３１の出力に変更されて接続されている以外は、図２に示されるリファレンスクロック発生器ＲＣと同様である。
【００３９】
レベル調整器２１は、例えば、３ｄｂ減衰器であり、加算器３の加算出力と自走発振器１Ｃの出力とが逆相になって加算される状態でも、加算器３１の２つの入力振幅レベルに差が設けられ、その加算出力が“０”になることを防いでいる。なお、レベル調整器２１は、自走発振器１ｃと加算器３１との間に接続される代わりに、加算器３と加算器３１との間に接続されるものであっても良い。また、自走発振器１ｃと加算器３１との間および、加算器３と加算器３１との間の両方のそれぞれ設けられるものであっても良い。
【００４０】
実施例３も上記実施例１及び２から容易に類推出来るので詳細説明は省略する。
【００４１】
図１における、通信装置ＣＥが備えるリファレンスクロック発生器ＲＣは上記実施例１から実施例３のいずれであっても良く、また、各リファレンスクロック発生器ＲＣが組み込まれる通信装置ＣＥ毎にその実施の形態が異なるものであっても良い。
【図面の簡単な説明】
【００４２】
【図１】本発明の実施例１に係わる通信システムを示す構成図。
【図２】本発明の実施例１に係わるリファレンスクロック発生器を示す機能ブロック図。
【図３】加算器が位相差４５度の２入力をアナログ加算した出力の図。
【図４】加算器が位相差９０度の２入力をアナログ加算した出力の図。
【図５】加算器が位相差１８０度（逆相）の２入力をアナログ加算した出力の図。
【図６】加算器が位相差２７０度の２入力をアナログ加算した出力の図。
【図７】加算器が位相差３６０度（同相）の２入力をアナログ加算した出力の図。
【図８】本発明の実施例２に係わるリファレンスクロック発生器を示す機能ブロック図。
【図９】本発明の実施例３に係わるリファレンスクロック発生器を示す機能ブロック図。
【図１０】従来のクロック切換を行うリファレンスクロック発生器の構成を示す機能ブロック図。
【図１１】従来の基準クロック加算を行うリファレンスクロック発生器の構成を示す機能ブロック図。
【図１２】従来のリファレンスクロック発生器の加算器の入力と出力の関係を示す図。
【符号の説明】
【００４３】
１ａ、１ｂ  基準クロック再生回路
２  レベル調整部
３  加算器
４  波形整形器
ＣＥ、Ｃｘ  通信装置
ＲＣ  リファレンスクロック発生器
ＸＲ  基準クロック装置
【図１】
2006050486.tif 000003
【図２】
2006050486.tif 000004
【図３】
2006050486.tif 000005
【図４】
2006050486.tif 000006
【図５】
2006050486.tif 000007
【図６】
2006050486.tif 000008
【図７】
2006050486.tif 000009
【図８】
2006050486.tif 000010
【図９】
2006050486.tif 000011
【図１０】
2006050486.tif 000012
【図１１】
2006050486.tif 000013
【図１２】
2006050486.tif 000014